(57)【要約】【課題】ＦＡＸ部のメモリの使用効率を向上させ、なおかつプリンタ部でエラーが発生したような場合でも適切に、バックアップデータが複合機通信管理部で管理される複合機及び複合機通信管理部の制御方法を提供する。【解決手段】本発明は、ＦＡＸ機能を備える複合機１００と、複合機１００と同一のネットワーク上に接続され、この複合機１００のＦＡＸ受信文書データのバックアップデータの保存を行う複合機通信管理部３００とを制御する方法であって、複合機１００では、ＦＡＸ受信文書データを印刷処理すると、このＦＡＸ受信文書データのバックアップデータが既に該複合機通信管理部に存在しないときに、このバックアップデータを複合機通信管理部３００に対して送信する処理を行うように制御し、複合機通信管理部３００側では、該複合機１００から送信されたＦＡＸ受信文書のバックアップデータを保存するように制御する。【選択図】図１
2008172398.tif 000002
【特許請求の範囲】
【請求項１】
ＦＡＸ機能を備える複合機と、該複合機と同一のネットワーク上に接続され、該複合機のＦＡＸ受信文書データのバックアップデータの保存を行う複合機通信管理部とを制御する方法であって、該複合機側では、ＦＡＸ受信文書データを印刷処理すると、このＦＡＸ受信文書データのバックアップデータが既に該複合機通信管理部に存在しないときに、このバックアップデータを該複合機通信管理部に対して送信する処理を行うように制御し、該複合機通信管理部側では、該複合機から送信されたＦＡＸ受信文書のバックアップデータを保存するように制御することを特徴とする複合機及び複合機通信管理部の制御方法。
【請求項２】
ＦＡＸ機能を備える複合機と、該複合機と同一のネットワーク上に接続され、該複合機のＦＡＸ受信文書データのバックアップデータの保存を行う複合機通信管理部とを制御する方法であって、該複合機側では、ＦＡＸ受信文書データのバックアップデータが既に該複合機通信管理部に存在するかどうかを該複合機通信管理部に問い合わせ、ＦＡＸ受信文書データを印刷処理すると、当該問い合わせ結果に基づいて、印刷処理したＦＡＸ受信文書データのバックアップデータを該複合機通信管理部に対して送信する処理を行うように制御し、該複合機通信管理部側では、該複合機から送信されたＦＡＸ受信文書のバックアップデータを保存するとともに、該複合機からのＦＡＸ受信文書データのバックアップデータが既に存在するかどうかに係る問い合わせに対して返信するように制御することを特徴とする複合機及び複合機通信管理部の制御方法。
【請求項３】
ＦＡＸ機能を備える複合機と、該複合機と同一のネットワーク上に接続され、該複合機のＦＡＸ受信文書データのバックアップデータの保存を行う複合機通信管理部とを制御する方法であって、該複合機側では、ＦＡＸ受信文書データのバックアップデータが既に該複合機通信管理部に存在するかどうかを記憶手段に記憶し、ＦＡＸ受信文書データを印刷処理すると、当該記憶手段の記憶結果に基づいて、印刷処理したＦＡＸ受信文書データのバックアップデータを該複合機通信管理部に対して送信する処理を行うように制御し、該複合機通信管理部側では、該複合機から送信されたＦＡＸ受信文書のバックアップデータを保存するように制御することを特徴とする複合機及び複合機通信管理部の制御方法。
【請求項４】
該複合機側で、プリンタエラーが発生した場合、ＦＡＸ受信文書データの印刷処理と該複合機通信管理部へバックアップデータの送信処理を中止することを特徴とする請求項１乃至請求項３に記載の複合機及び複合機通信管理部の制御方法。
【請求項５】
該複合機側で、プリンタエラーが解消した場合、未完了印刷ページからの印刷処理と該複合機通信管理部への送信処理を再開することを特徴とする請求項４に記載の複合機及び複合機通信管理部の制御方法。
【請求項６】
ＦＡＸ機能を備える複合機と、該複合機と同一のネットワーク上に接続され、該複合機のＦＡＸ受信文書データのバックアップデータの保存を行う複合機通信管理部とからなる複合機システムであって、該複合機側では、ＦＡＸ受信文書データを印刷処理すると、このＦＡＸ受信文書データのバックアップデータが既に該複合機通信管理部に存在しないときに、このバックアップデータを該複合機通信管理部に対して送信する処理を行うように制御し、該複合機通信管理部側では、該複合機から送信されたＦＡＸ受信文書のバックアップデータを保存するように制御することを特徴とする複合機及び複合機通信管理部とからなる複合機システム。
【請求項７】
ＦＡＸ機能を備える複合機と、該複合機と同一のネットワーク上に接続され、該複合機のＦＡＸ受信文書データのバックアップデータの保存を行う複合機通信管理部とからなる複合機システムであって、該複合機側では、ＦＡＸ受信文書データのバックアップデータが既に該複合機通信管理部に存在するかどうかを該複合機通信管理部に問い合わせ、ＦＡＸ受信文書データを印刷処理すると、当該問い合わせ結果に基づいて、印刷処理したＦＡＸ受信文書データのバックアップデータを該複合機通信管理部に対して送信する処理を行うように制御し、該複合機通信管理部側では、該複合機から送信されたＦＡＸ受信文書のバックアップデータを保存するとともに、該複合機からのＦＡＸ受信文書データのバックアップデータが既に存在するかどうかに係る問い合わせに対して返信するように制御することを特徴とする複合機及び複合機通信管理部とからなる複合機システム。
【請求項８】
ＦＡＸ機能を備える複合機と、該複合機と同一のネットワーク上に接続され、該複合機のＦＡＸ受信文書データのバックアップデータの保存を行う複合機通信管理部とからなる複合機システムであって、該複合機側では、ＦＡＸ受信文書データのバックアップデータが既に該複合機通信管理部に存在するかどうかを記憶手段に記憶し、ＦＡＸ受信文書データを印刷処理すると、当該記憶手段の記憶結果に基づいて、印刷処理したＦＡＸ受信文書データのバックアップデータを該複合機通信管理部に対して送信する処理を行うように制御し、該複合機通信管理部側では、該複合機から送信されたＦＡＸ受信文書のバックアップデータを保存するように制御することを特徴とする複合機及び複合機通信管理部とからなる複合機システム。
【請求項９】
該複合機側で、プリンタエラーが発生した場合、ＦＡＸ受信文書データの印刷処理と該複合機通信管理部へバックアップデータの送信処理を中止することを特徴とする請求項６乃至請求項８に記載の複合機及び複合機通信管理部とからなる複合機システム。
【請求項１０】
該複合機側で、プリンタエラーが解消した場合、未完了印刷ページからの印刷処理と該複合機通信管理部への送信処理を再開することを特徴とする請求項９に記載の複合機及び複合機通信管理部とからなる複合機システム。
【請求項１１】
ＦＡＸ受信文書データのバックアップデータを、同一のネットワーク上に接続された複合機通信管理部に送信する複合機であって、ＦＡＸ受信文書データのバックアップデータが既に該複合機通信管理部に存在するかどうかを該複合機通信管理部に問い合わせことを特徴とする複合機。
【請求項１２】
ＦＡＸ受信文書データのバックアップデータを、同一のネットワーク上に接続された複合機通信管理部に送信する複合機であって、ＦＡＸ受信文書データのバックアップデータが既に該複合機通信管理部に存在するかどうかを記憶手段に記憶することを特徴とする複合機。
【請求項１３】
複合機から送信されたＦＡＸ受信文書のバックアップデータを保存する複合機通信管理部であって、該複合機からのＦＡＸ受信文書データのバックアップデータが既に存在するかどうかに係る問い合わせに対して返信することを特徴とする複合機通信管理部。
【発明の詳細な説明】
【技術分野】
【０００１】
本発明は、記録媒体に印刷を行うプリンタ機能、原稿の読み取りを行うスキャナ機能、さらにＦＡＸ文書の送受信を行うＦＡＸ機能を備える複合機及びこの複合機のＦＡＸ機能に係る管理を行う複合機通信管理部の制御方法に関する。
【背景技術】
【０００２】
スキャナ及びプリンタを備えたデジタル複合機（以下、単に複合機という）と呼ばれる装置がある。この複合機では、スキャナが画像を取り込むスキャナ機能、プリンタが印刷を行う印刷機能、及びスキャナが読み取った画像をプリンタが印刷するコピー機能などを備える。近年、この複合機にさらにＦＡＸ送受信機能を備えたものが登場している。
【０００３】
このようなＦＡＸ文書の送受信機能を備えた複合機においては、エンベディド型として知られているものがある。エンベディド型の複合機は、印刷を実行したＦＡＸ受信文書のバックアップを保存する機能等を内蔵しているものである。これに対して、ＦＡＸ送受信機能を備えた複合機とは別体に設けられた、当該複合機とネットワーク接続されたパーソナルコンピュータ等に、ＦＡＸ受信文書のデータを転送して、通信履歴のバックアップをとるようなシステム（ＦＡＸサーバー、ＦＡＸ通信管理部などとして知られている。）が例えば特許文献１に開示されている。
【特許文献１】特願２００６−６９７９号公報
【発明の開示】
【発明が解決しようとする課題】
【０００４】
エンベディド型の複合機においては、ＦＡＸ受信文書のバックアップを保存する機能等を内蔵しているため、ＦＡＸ受信文書を印刷すると印刷済みデータをネットワーク上のＦＡＸサーバーやＦＡＸ通信管理部に送信する、という概念が存在しない。
【０００５】
これに対して、特許文献１に記載されているようなＦＡＸサーバーやＦＡＸ通信管理部からなるシステムにおいては、複合機側においてＦＡＸ受信文書を印刷すると、印刷済みデータをＦＡＸサーバーやＦＡＸ通信管理部に転送して、保存するという概念が存在する。
【０００６】
このとき、複合機のプリンタ部での印刷処理と、ＦＡＸサーバーやＦＡＸ通信管理部への送信・保存処理とを逐次処理にすると、ＦＡＸ受信文書データを長時間メモリ上に保持し続ける必要があり、メモリの使用効率が低下する（次のＦＡＸ受信でメモリ不足が発生しやすくなる等）といった問題が発生する。
【０００７】
一方、印刷処理と、送信・保存処理とを並行処理を行うと、印刷処理におけるエラーのリカバリ対策を十分施しておかねばならない、という問題がある。
【課題を解決するための手段】
【０００８】
本発明は、上記のような各問題に対処するために、複合機のプリンタ部での印刷処理とＦＡＸサーバーやＦＡＸ通信管理部への保存処理を並行処理としつつ、プリンタエラーが発生した場合に適切なリカバリ処理を実行できるようにするものであり、そのために、請求項１に係る発明は、ＦＡＸ機能を備える複合機と、該複合機と同一のネットワーク上に接続され、該複合機のＦＡＸ受信文書データのバックアップデータの保存を行う複合機通信管理部とを制御する方法であって、該複合機側では、ＦＡＸ受信文書データを印刷処理すると、このＦＡＸ受信文書データのバックアップデータが既に該複合機通信管理部に存在しないときに、このバックアップデータを該複合機通信管理部に対して送信する処理を行うように制御し、該複合機通信管理部側では、該複合機から送信されたＦＡＸ受信文書のバックアップデータを保存するように制御することを特徴とする複合機及び複合機通信管理部の制御方法である。
【０００９】
また、請求項２に係る発明は、ＦＡＸ機能を備える複合機と、該複合機と同一のネットワーク上に接続され、該複合機のＦＡＸ受信文書データのバックアップデータの保存を行う複合機通信管理部とを制御する方法であって、該複合機側では、ＦＡＸ受信文書データのバックアップデータが既に該複合機通信管理部に存在するかどうかを該複合機通信管理部に問い合わせ、ＦＡＸ受信文書データを印刷処理すると、当該問い合わせ結果に基づいて、印刷処理したＦＡＸ受信文書データのバックアップデータを該複合機通信管理部に対して送信する処理を行うように制御し、該複合機通信管理部側では、該複合機から送信されたＦＡＸ受信文書のバックアップデータを保存するとともに、該複合機からのＦＡＸ受信文書データのバックアップデータが既に存在するかどうかに係る問い合わせに対して返信するように制御することを特徴とする複合機及び複合機通信管理部の制御方法である。
【００１０】
また、請求項３に係る発明は、ＦＡＸ機能を備える複合機と、該複合機と同一のネットワーク上に接続され、該複合機のＦＡＸ受信文書データのバックアップデータの保存を行う複合機通信管理部とを制御する方法であって、該複合機側では、ＦＡＸ受信文書データのバックアップデータが既に該複合機通信管理部に存在するかどうかを記憶手段に記憶し、ＦＡＸ受信文書データを印刷処理すると、当該記憶手段の記憶結果に基づいて、印刷処理したＦＡＸ受信文書データのバックアップデータを該複合機通信管理部に対して送信する処理を行うように制御し、該複合機通信管理部側では、該複合機から送信されたＦＡＸ受信文書のバックアップデータを保存するように制御することを特徴とする複合機及び複合機通信管理部の制御方法である。
【００１１】
また、請求項４に係る発明は、請求項１乃至請求項３に記載の複合機及び複合機通信管理部の制御方法であって、該複合機側で、プリンタエラーが発生した場合、ＦＡＸ受信文書データの印刷処理と該複合機通信管理部へバックアップデータの送信処理を中止することを特徴とする。
【００１２】
また、請求項５に係る発明は、請求項４に記載の複合機及び複合機通信管理部の制御方法であって、該複合機側で、プリンタエラーが解消した場合、未完了印刷ページからの印刷処理と該複合機通信管理部への送信処理を再開することを特徴とする。
【００１３】
また、請求項６に係る発明は、ＦＡＸ機能を備える複合機と、該複合機と同一のネットワーク上に接続され、該複合機のＦＡＸ受信文書データのバックアップデータの保存を行う複合機通信管理部とからなる複合機システムであって、該複合機側では、ＦＡＸ受信文書データを印刷処理すると、このＦＡＸ受信文書データのバックアップデータが既に該複合機通信管理部に存在しないときに、このバックアップデータを該複合機通信管理部に対して送信する処理を行うように制御し、該複合機通信管理部側では、該複合機から送信されたＦＡＸ受信文書のバックアップデータを保存するように制御することを特徴とする複合機及び複合機通信管理部とからなる複合機システムである。
【００１４】
また、請求項７に係る発明は、ＦＡＸ機能を備える複合機と、該複合機と同一のネットワーク上に接続され、該複合機のＦＡＸ受信文書データのバックアップデータの保存を行う複合機通信管理部とからなる複合機システムであって、該複合機側では、ＦＡＸ受信文書データのバックアップデータが既に該複合機通信管理部に存在するかどうかを該複合機通信管理部に問い合わせ、ＦＡＸ受信文書データを印刷処理すると、当該問い合わせ結果に基づいて、印刷処理したＦＡＸ受信文書データのバックアップデータを該複合機通信管理部に対して送信する処理を行うように制御し、該複合機通信管理部側では、該複合機から送信されたＦＡＸ受信文書のバックアップデータを保存するとともに、該複合機からのＦＡＸ受信文書データのバックアップデータが既に存在するかどうかに係る問い合わせに対して返信するように制御することを特徴とする複合機及び複合機通信管理部とからなる複合機システムである。
【００１５】
また、請求項８に係る発明は、ＦＡＸ機能を備える複合機と、該複合機と同一のネットワーク上に接続され、該複合機のＦＡＸ受信文書データのバックアップデータの保存を行う複合機通信管理部とからなる複合機システムであって、該複合機側では、ＦＡＸ受信文書データのバックアップデータが既に該複合機通信管理部に存在するかどうかを記憶手段に記憶し、ＦＡＸ受信文書データを印刷処理すると、当該記憶手段の記憶結果に基づいて、印刷処理したＦＡＸ受信文書データのバックアップデータを該複合機通信管理部に対して送信する処理を行うように制御し、該複合機通信管理部側では、該複合機から送信されたＦＡＸ受信文書のバックアップデータを保存するように制御することを特徴とする複合機及び複合機通信管理部とからなる複合機システムである。
【００１６】
また、請求項９に係る発明は、請求項６乃至請求項８に記載の複合機及び複合機通信管理部とからなる複合機システムであって、該複合機側で、プリンタエラーが発生した場合、ＦＡＸ受信文書データの印刷処理と該複合機通信管理部へバックアップデータの送信処理を中止することを特徴とする。
【００１７】
また、請求項１０に係る発明は、請求項９に記載の複合機及び複合機通信管理部とからなる複合機システムであって、該複合機側で、プリンタエラーが解消した場合、未完了印刷ページからの印刷処理と該複合機通信管理部への送信処理を再開することを特徴とする。
【００１８】
また、請求項１１に係る発明は、ＦＡＸ受信文書データのバックアップデータを、同一のネットワーク上に接続された複合機通信管理部に送信する複合機であって、ＦＡＸ受信文書データのバックアップデータが既に該複合機通信管理部に存在するかどうかを該複合機通信管理部に問い合わせことを特徴とする複合機である。
【００１９】
また、請求項１２に係る発明は、ＦＡＸ受信文書データのバックアップデータを、同一のネットワーク上に接続された複合機通信管理部に送信する複合機であって、ＦＡＸ受信文書データのバックアップデータが既に該複合機通信管理部に存在するかどうかを記憶手段に記憶することを特徴とする複合機である。
【００２０】
また、請求項１３に係る発明は、複合機から送信されたＦＡＸ受信文書のバックアップデータを保存する複合機通信管理部であって、該複合機からのＦＡＸ受信文書データのバックアップデータが既に存在するかどうかに係る問い合わせに対して返信することを特徴とする複合機通信管理部である。
【００２１】
本発明によれば、ＦＡＸ受信文書データを不必要に長時間ＦＡＸ部のメモリ上に保持し続けることがないため、メモリの使用効率が向上し、したがって、ＦＡＸ受信文書の印刷処理速度を低下させることがない。また、本発明によれば、複合機通信管理部で保存していないページ（バックアップデータ）だけを複合機通信管理部に転送するように設定されるので、エラー発生時、適切なリカバリ処理を行うことができる。
【発明を実施するための最良の形態】
【００２２】
以下、本発明の実施の形態を図面を参照しつつ説明する。図１は本発明の実施の形態に係る複合機及び複合機通信管理部のシステム構成を示す図である。図１において、１０はＬＡＮ、ＷＡＮなどのネットワーク、１００は複合機、１１０は複合機の主制御を行う制御部、１１１は制御部メモリ、１２０はＦＡＸ文書の送受信を行うＦＡＸ部、１２１はＦＡＸ部メモリ、１３０は記録媒体への印刷を行うプリンタ部、１４０は原稿の読み取りを行うスキャナ部、１５０はユーザーとのインターフェイスとなるパネル部、２００はパーソナルコンピュータ、２１０はＦＡＸ連携ソフトウエア、３００は複合機通信管理部をそれぞれ示している。
【００２３】
本発明のシステムは、複合機通信管理部３００と、クライアントなどのパーソナルコンピュータ２００と、デジタル複合機（以下、単に複合機という）５とが、ネットワーク１０９を介して接続されている。パーソナルコンピュータ２００及び複合機１００は、１台の複合機通信管理部３００に対して複数台接続することができる。
【００２４】
複合機１００は、情報処理装置からなる複合機本体の主制御を行う制御部１１０と、ユーザーの入力操作を受け付ける入出力装置であるパネル部１５０と、原稿・画像をスキャンして読み込むスキャナ部１４０と、印刷用紙等に印刷を行うプリンタ部１３０と、ＦＡＸ送受信を行うＦＡＸ部１２０とを備える。つまり、複合機１００は、スキャナ機能、印刷機能、スキャナ機能と印刷機能を組み合わせたコピー機能及びＦＡＸ送受信機能を備えるものである。
【００２５】
複合機通信管理部３００、複数のパーソナルコンピュータ２００、複合機１００の情報処理機構は、いずれも例えば汎用的なコンピュータシステムにより構成され、個々の構成要素または機能は、例えば、記憶手段に書き込まれたコンピュータプログラムを実行することにより実現される。
【００２６】
ＦＡＸ部１２０は、不図示の公衆回線網と接続されていて、ＦＡＸの送受信を行うＦＡＸ送受信部（不図示）と、ＦＡＸ送受信部が送信するための送信データを一時記憶する送信バッファ及びＦＡＸ送受信部が受信した受信データを一時記憶する受信バッファを構成するためのＦＡＸ部メモリ１２１などを備えている。このようなＦＡＸ部メモリ１２１には、送受信結果を示す通信結果データを記憶した通信結果ログなども記憶されるものである。
【００２７】
ＦＡＸ部１２０は、スキャナ部１４０が読み取った画像データを制御部１１０から受信すると、一旦ＦＡＸ部メモリ１２１に蓄積して、ＦＡＸ送信する。送信が完了すると、ＦＡＸ部１２０は、ＦＡＸ部メモリ１２１に蓄積されている送信済みデータを消去する。
【００２８】
また、ＦＡＸ部１２０は、公衆回線網からＦＡＸ送信されてきたデータを受信すると、その受信データをＦＡＸ部メモリ１２１に一旦格納する。そして、ＦＡＸ部メモリ１２１に格納された受信データは、制御部１１０へ送られて、プリンタ部１３０で印刷される。ＦＡＸ部１２０が、プリンタ部１３０で印刷済みの受信データをＦＡＸ部メモリ１２１から消去するタイミングについては後述するような制御による。
【００２９】
ここで、ＦＡＸ部１２０は、複合機１００内の他の構成とは独立にＦＡＸ送受信を行う。つまり、ＦＡＸ部１２０は、複合機１００から送信データを受け付けると、複合機１００とは独立にＦＡＸ送信を行うし、公衆回線網からＦＡＸデータが送信されてくれば、それを受信する。従って、後述するように、例えば、ネットワーク１０で何らからトラブルが生じているような場合でも、ＦＡＸ部１２０は、それとは無関係にＦＡＸの送受信を行うことができるように構成される。
【００３０】
複合機１００は、ネットワーク１０を介して接続された複合機通信管理部３００等と通信を行う不図示のネットワーク１０用のインタフェースや、パネル部１５０、スキャナ部１４０、プリンタ部１３０及びＦＡＸ部１２０を制御する制御部１１０なども備える。
【００３１】
ネットワーク１０用のインタフェースは、複合機通信管理部３００へ通信結果ログ及びＦＡＸデータ（送信データ及び受信データ）を送信する。
【００３２】
制御部１１０は、パネル部１５０からのＦＡＸ送信指示を受け付けて、スキャナ部１４０に対して画像読み取り指示を行って、スキャナ部１４０が読み取った画像データを取得する。この画像データは、制御部メモリ１１１に格納される。制御部１１０は、さらに、ＦＡＸ部１２０が公衆回線網から受信した受信データを、ＦＡＸ部１２１から取得して、制御部メモリ１１１に格納してから、プリンタ部３００に送信する。なお、本発明においては、制御部メモリ１１１は少なくとも文書１ページ分の記憶容量を有するものとする。      
【００３３】
複合機通信管理部３００は、背景技術の欄において説明したＦＡＸサーバーやＦＡＸ通信管理部に相当するものであるが、本明細書においては、複合機通信管理部３００が複合機１００の通信管理を行う、という観点から、これを「複合機通信管理部」と称することとする。なお、本発明の「複合機通信管理部」は、従来のＦＡＸサーバーやＦＡＸ通信管理部などの概念を包含するものである。
【００３４】
複合機通信管理部３００は、具体的にはパーソナルコンピュータなどの汎用的なコンピュータシステムにより構成され、当該パーソナルコンピュータに記憶されるプログラムを実行することにより実現されるものである。
【００３５】
複合機通信管理部３００は、ネットワーク１０を介して接続されたパーソナルコンピュータ２００及び複合機１００と通信を行うネットワーク１０用のインタフェースと、ＦＡＸ通信結果ログ（不図示）と、バックアップデータ記憶部（不図示）とを備えているものである。
【００３６】
複合機通信管理部３００のネットワーク１０用のインタフェースは、例えば、複合機１００から送られてくる通信結果データ及びＦＡＸデータを受信する。そして、ネットワーク１０用のインタフェースは、通信結果データは通信結果ログに蓄積し、ＦＡＸデータは、バックアップデータ記憶部に格納する。ネットワーク１０用のインタフェースが複合機１００からのデータを受信すると、受信確認を返信する。
【００３７】
複合機通信管理部３００は、複合機１００から送られてくる通信結果データやＦＡＸデータを記憶することに加えて、複合機１００のスキャナ部１４０でスキャンした画像データを記憶できるように構成してもよい。また、複合機通信管理部３００の通信結果データやＦＡＸデータを利用可能なユーザーを個人認証などの機能により限定することで、複合機通信管理部３００に記憶されるデータの保護を図ることもできる。
【００３８】
パーソナルコンピュータ２００には、複合機通信管理部３００の機能を設定したり、複合機通信管理部３００のＦＡＸ通信結果ログやバックアップデータ記憶部などからユーザーが所望するデータの検索を行ったりすることが可能なＦＡＸ連携ソフトウエア２１０がインストールされる。
【００３９】
本発明の実施の形態に係る複合機及び複合機通信管理部のシステム構成は以上の通りであるが、従来の複合機及び複合機通信管理部の制御も、これと同様のシステム構成によりなされていた。そこで、本発明の実施の形態に係る複合機及び複合機通信管理部の制御方法をより把握しやすくするために、上記のシステム構成に基づいて、従来にどのような制御方法が採用され、その制御方法のどのような点に問題が発生したのかをみてみることとする。
【００４０】
図２は、従来の複合機及び複合機通信管理部の制御シーケンスを示す図である。図２におけるシーケンス図は、複合機１００のＦＡＸ部１２０がＦＡＸ文書を受信し、それをプリンタ部１３０で印刷中にｎページ目にエラーが発生したときの制御を示すものである。
【００４１】
まず、複合機１００の制御部１１０が、ステップＳ２００において、ＦＡＸ部１２０の受信完了の通知を受けると、ステップＳ２０１において、制御部１１０によってプリンタ部１３０に対してＦＡＸ印刷開始の指示がなされ、ステップＳ２０２でＦＡＸ部１２０から制御部１１０に１ページ目の文書データが送信される。制御部１１０は、送信された文書データによってステップＳ２０３で、プリンタ部１３０に対して印刷指示を発する。プリンタ部１３０でこの文書データの印刷が完了すると、プリンタ部１３０は制御部１１０に対して印刷完了の通知を行う。すると、制御部１１０は、ステップＳ２０５で、ＦＡＸ通信結果ログとバックアップデータ（以下、これらを総称して「ＦＡＸバックアップデータ」という。）を複合機通信管理部３００に送信して、ステップＳ２０６で、ＦＡＸ部メモリ１２１上の１ページ目のＦＡＸ文書データを消去する。
【００４２】
ステップＳ２０７で、ＦＡＸ部１２０から制御部１１０にｎページ目の文書データを送信し、ステップＳ２０８で制御部１１０からプリンタ部１３０にｎページ目の印刷指示がなされた後、制御部１１０がステップＳ２０９でプリンタ部１３０のエラーが発生した旨の通知を受けると、ステップＳ２１０において制御部１１０はパネル部１５０でエラー表示を行い、ユーザーにエラー解消を促す。また、ステップＳ２１１において制御部１１０はプリンタ部１３０にＦＡＸ印刷の中止を通知する。
【００４３】
ユーザーがエラーを解消すると、プリンタ部１３０はその旨、ステップＳ２１２で制御部１１０に通知する。ステップＳ２１３で制御部１１０はパネル部１５０にプリンタエラーが解消された旨表示させる。
【００４４】
ステップＳ２１４においては、制御部１１０はプリンタ部１３０にＦＡＸ印刷の再開を通知する。ステップＳ２１５で再び、制御部１１０はＦＡＸ部１２０からｎページ目の文書データを受信すると、ステップＳ２１６で、プリンタ部１３０に対して印刷指示を発する。プリンタ部１３０でｎページの文書データの印刷が完了すると、ステップＳ２１７でプリンタ部１３０は制御部１１０に対して印刷完了の通知を行う。ステップＳ２１８で、制御部１１０は、ｎページ目のＦＡＸバックアップデータを複合機通信管理部３００に送信して、ステップＳ２１９でＦＡＸ部メモリ１２１上のｎページ目のＦＡＸ文書データを消去する。全文書データの印刷が完了すると、ステップＳ２２０では、制御部１１０はプリンタ部１３０に対してＦＡＸ印刷が終了した旨通知する。
【００４５】
以上のシーケンスは、プリンタ部１３０での印刷、及び、複合機通信管理部３００に対するバックアップデータの保存を全てページ単位で逐次処理した場合のシーケンスである。
【００４６】
以上のような従来の複合機及び複合機通信管理部の制御シーケンスによって、（I）、（II）、（III）からなる３ページの文書を印刷した場合の動作タイミングを示す。図３は、従来の複合機及び複合機通信管理部の制御による各部の動作タイミングを示す図である。図３は、３ページの文書の印刷中、プリンタ部１３０のエラーが発生しなかった場合のタイミングを示している。
【００４７】
図３において、最上段は公衆回線網から複合機１００のＦＡＸ部１２０（ＦＡＸ部メモリ１２１）へのデータ転送タイミングを、また、第２段目はＦＡＸ部１２０（ＦＡＸ部メモリ１２１）から制御部１１０（制御部メモリ１１１）へのデータ転送タイミングを、また、第３段目は制御部１１０（制御部メモリ１１１）からプリンタ部１３０へのデータ転送タイミングを、また、第４段目はプリンタ部１３０における実印刷タイミングを、また、最下段は複合機１００の制御部１１０から複合機通信管理部３００へのデータ転送タイミングをそれぞれ示している。
【００４８】
このようなシーケンスを採用した場合には、プリンタ部１３０で第ｎページ印刷完了から第ｎ＋１ページ目印刷開始まで待ちが発生する（印刷処理が連続動作とならない）ため，全ページの印刷完了が遅くなる。このことは、図３において、例えば、ＦＡＸ部の（I）のデータ破棄から（II）データの印刷までの遅延などを参照するとわかる。
【００４９】
次に、上記の制御シーケンスを改良した制御シーケンスについて説明する。図４は、従来の複合機及び複合機通信管理部の制御シーケンスを示す図である。図４におけるシーケンス図は、複合機１００のＦＡＸ部１２０がＦＡＸ文書を受信し、それをプリンタ部１３０で印刷中にｎページ目にエラーが発生したときの制御を示すものである。
【００５０】
まず、複合機１００の制御部１１０が、ステップＳ４００において、ＦＡＸ部１２０の受信完了の通知を受けると、ステップＳ４０１において、制御部１１０によってプリンタ部１３０に対してＦＡＸ印刷開始の指示がなされ、ステップＳ４０２でＦＡＸ部１２０から制御部１１０に１ページ目の文書データが送信される。制御部１１０は、送信された文書データによってステップＳ４０３で、プリンタ部１３０に対して印刷指示を発する。
【００５１】
途中を省略して、次に、エラーが発生するｎページの１ページ前のシーケンスから説明する。ステップＳ４０６で、制御部１１０が（ｎ−１）ページ目の印刷完了報告を受信すると、制御部１１０は、ステップＳ４０６で（ｎ−１）ページ目の文書データをＦＡＸ部１２０から受信する。このデータは、制御部１１０が（ｎ−１）ページ目のＦＡＸバックアップデータを複合機通信管理部３００に送信するために必要となる。ステップＳ４０８においては、制御部１１０は、（ｎ−１）ページ目のＦＡＸバックアップデータを複合機通信管理部３００に送信する。そして、ステップＳ４０９において、制御部１１０は、ＦＡＸ部１２０のＦＡＸ部メモリ１２１上の（ｎ−１）ページ目のデータの破棄を要求する。
【００５２】
制御部１１０がステップＳ４１０でプリンタ部１３０のエラーが発生した旨の通知を受けると、ステップＳ４１１において制御部１１０はパネル部１５０でエラー表示を行い、ユーザーにエラー解消を促す。また、ステップＳ４１２において制御部１１０はプリンタ部１３０にＦＡＸ印刷の中止を通知する。
【００５３】
ユーザーがエラーを解消すると、プリンタ部１３０はその旨、ステップＳ４１３で制御部１１０に通知する。ステップＳ４１４で制御部１１０はパネル部１５０にプリンタエラーが解消された旨表示させる。
【００５４】
ステップＳ４１５においては、制御部１１０はプリンタ部１３０にＦＡＸ印刷の再開を通知する。ステップＳ４１６で再び、制御部１１０はＦＡＸ部１２０からｎページ目の文書データを受信すると、ステップＳ４１７で、プリンタ部１３０に対して印刷指示を発する。プリンタ部１３０でｎページの文書データの印刷が完了すると、ステップＳ４１８でプリンタ部１３０は制御部１１０に対して印刷完了の通知を行う。制御部１１０は、再びステップＳ４１９でｎページ目の文書データをＦＡＸ部１２０から受信する。ステップＳ４２０においては、制御部１１０は、ｎページ目のＦＡＸバックアップデータを複合機通信管理部３００に送信する。ステップＳ４２１で、ＦＡＸ部メモリ１２１上のｎページ目のＦＡＸ文書データを消去するよう要求する。全文書データの印刷が完了すると、ステップＳ４２２では、制御部１１０はプリンタ部１３０に対してＦＡＸ印刷が終了した旨通知する。
【００５５】
以上のシーケンスは、プリンタ部１３０での印刷完了、及び、複合機通信管理部３００に対するバックアップデータの保存のみページ単位で逐次処理した場合のシーケンスである。
【００５６】
以上のような従来の複合機及び複合機通信管理部の制御シーケンスによって、（I）、（II）、（III）からなる３ページの文書を印刷した場合のタイミングを示す。図５は、従来の複合機及び複合機通信管理部の制御による各部の動作タイミングを示す図である。図５は、３ページの文書の印刷中、プリンタ部１３０のエラーが発生しなかった場合のタイミングを示している。
【００５７】
図５において、最上段は公衆回線網から複合機１００のＦＡＸ部１２０（ＦＡＸ部メモリ１２１）へのデータ転送タイミングを、また、第２段目はＦＡＸ部１２０（ＦＡＸ部メモリ１２１）から制御部１１０（制御部メモリ１１１）へのデータ転送タイミングを、また、第３段目は制御部１１０（制御部メモリ１１１）からプリンタ部１３０へのデータ転送タイミングを、また、第４段目はプリンタ部１３０における実印刷タイミングを、また、最下段は複合機１００の制御部１１０から複合機通信管理部３００へのデータ転送タイミングをそれぞれ示している。
【００５８】
このようなシーケンスを採用した場合には、最終ページの印刷が完了しても，同ページを保存し終わるまでＦＡＸ部１２０で同ページを保持しておく必要があり、また、印刷完了時にＦＡＸ部１２０からのページ再読出（または印刷完了まで制御部１１０でページ保持）が必要となる、といった問題が発生する。
【００５９】
次に、以上のような２つの従来の制御シーケンスの問題点を、改良した本発明の制御シーケンスについて説明する。
【００６０】
図６は、本発明の実施の形態に係る複合機及び複合機通信管理部の制御シーケンスを示す図である。図６におけるシーケンス図は、複合機１００のＦＡＸ部１２０がＦＡＸ文書を受信し、それをプリンタ部１３０で印刷中にｎページ目にエラーが発生したときの制御を示すものである。
【００６１】
まずステップＳ６００において、複合機１００の制御部１１０が、ＦＡＸ部１２０の受信完了の通知を受けると、ステップＳ６０１において、制御部１１０によってプリンタ部１３０に対してＦＡＸ印刷開始の指示がなされる。すると、ステップＳ６０２で、まず制御部１１０は、複合機通信管理部３００に対して、既に保存済みのＦＡＸバックアップデータ番号の取得を要求する。複合機通信管理部３００側では、現段階では、保存済みのＦＡＸバックアップデータはないので、その旨を制御部１１０側に返信する。
【００６２】
ステップＳ６０３でＦＡＸ部１２０から制御部１１０に１ページ目の文書データが送信される。すると制御部１１０は、送信された文書データによってステップＳ６０４で、プリンタ部１３０に対して印刷指示を発する。本実施形態においては、次のステップＳ６０５の段階で１ページ目のＦＡＸバックアップデータを複合機通信管理部３００に送信する。
【００６３】
ステップＳ６０２乃至ステップＳ６０４と同様のステップを繰り返すことによって、ＦＡＸ部１２０→制御部１１０→プリンタ部１３０というようにデータを受け渡し印刷を行い、制御部１１０から複合機通信管理部３００にＦＡＸバックアップデータを送信する。（ステップＳ６０６乃至ステップＳ６０８参照。）
ステップＳ６０９で、プリンタ部１３０から制御部１１０に、（ｎ−１）ページ目の印刷が完了したことが通知されると、ステップＳ６１０で、制御部１１０はＦＡＸ部１２０に対してＦＡＸ部メモリ１２１から（ｎ−１）ページ目のデータを消去するように要求する。
【００６４】
ｎページの印刷完了前のこの段階（ステップＳ６１１）で、制御部１１０がプリンタ部１３０からプリンタエラーが発生した旨の通知を受領すると、ステップＳ６１２において制御部１１０はパネル部１５０でエラー表示を行わせるよう要求し、ユーザーにエラー解消を促す。また、ステップＳ６１３において制御部１１０はプリンタ部１３０にＦＡＸ印刷の中止を通知する。
【００６５】
ユーザーがエラーを解消すると、プリンタ部１３０はその旨、ステップＳ６１４で制御部１１０に通知する。ステップＳ６１５で制御部１１０はパネル部１５０にプリンタエラーが解消された旨表示させる。
【００６６】
ステップＳ６１６においては、制御部１１０はプリンタ部１３０にＦＡＸ印刷の再開を通知する。そして、本発明に係る制御方法においては、エラー解消後のこの段階のステップＳ６１７で、制御部１１０は、複合機通信管理部３００に対して、既に保存済みのＦＡＸバックアップデータ番号の取得を要求する。複合機通信管理部３００側では、保存済みのＦＡＸバックアップデータ「ｎ」を制御部１１０側に返信する。
【００６７】
ステップＳ６１８で再び、制御部１１０はＦＡＸ部１２０からｎページ目の文書データを受信すると、ステップＳ６１９で、プリンタ部１３０に対して印刷指示を発する。本発明の制御シーケンスにおいては、ｎページ目のＦＡＸバックアップデータが保存済みであるために複合機通信管理部３００側にｎページ目のＦＡＸバックアップデータを再転送しない。
【００６８】
ステップＳ６２０でＦＡＸ部１２０から制御部１１０に（ｎ＋１）ページ目の文書データが送信される。すると制御部１１０は、送信された文書データによってステップＳ６２１で、プリンタ部１３０に対して印刷指示を発する。次のステップＳ６２２の段階で（ｎ＋１）ページ目のＦＡＸバックアップデータを複合機通信管理部３００に送信する。
【００６９】
ステップＳ６２３で、プリンタ部１３０から制御部１１０に、ｎページ目の印刷が完了したことが通知されると、ステップＳ６２４で、制御部１１０はＦＡＸ部１２０に対してＦＡＸ部メモリ１２１からｎページ目のデータを消去するように要求する。
【００７０】
同様に、ステップＳ６２５で、プリンタ部１３０から制御部１１０に、（ｎ＋１）ページ目の印刷が完了したことが通知されると、ステップＳ６２６で、制御部１１０はＦＡＸ部１２０に対してＦＡＸ部メモリ１２１から（ｎ＋１）ページ目のデータを消去するように要求する。
【００７１】
全文書データの印刷が完了すると、ステップＳ６２７では、制御部１１０はプリンタ部１３０に対してＦＡＸ印刷が終了した旨通知する。
【００７２】
本発明の複合機及び複合機通信管理部の制御シーケンスは、プリンタ部１３０での印刷と複合機通信管理部３００での保存を非同期で並行処理した場合のシーケンスである。
【００７３】
本発明の制御シーケンスによれば、ページの印刷が完了した時点でＦＡＸ部メモリ１２１の同ページに係るデータを消去できる。また、複合機通信管理部３００で保存済みのＦＡＸバックアップデータを複合機通信管理部３００に再転送しないようにすることで、同一ページの２重保存を防止できる。すなわち、エラー発生時、適切なリカバリ処理を行うことができる。
【００７４】
このような本発明の複合機及び複合機通信管理部の制御方法、複合機及び複合機通信管理部とからなる複合機システム、複合機、複合機通信管理部によれば、ＦＡＸ受信文書の印刷処理速度を低下させる（＝ＦＡＸ受信文書データを不必要に長時間ＦＡＸ部メモリ１２１上に保持し続ける）ことなく、プリンタエラー発生後も適切なリカバリ処理（＝複合機通信管理部３００で保存していないページだけを保存すること）が可能となる。
【００７５】
次に、以上のような制御シーケンスで複合機及び複合機通信管理部を動作させるための制御フローについて説明する。
【００７６】
図７は、本発明の複合機における制御部のＦＡＸ受信文書印刷に係る制御のフローチャートを示す図であり、図８は、本発明の複合機通信管理部のＦＡＸバックアップデータ保存に係る制御のフローチャートを示す図である。以下、これらのフローチャートについて説明する。
【００７７】
図７において、複合機１００のＦＡＸ部１２０がＦＡＸ文書Ｘを受信した後、ステップＳ７００でフローチャートの処理が開始される。次に、ステップＳ７０１において、制御部１１０はプリンタ部１３０に対して印刷開始の指示を発する。ステップＳ７０２に進み、複合機通信管理部３００から保存済みのＦＡＸバックアップデータのページ番号を取得する。
【００７８】
続いてステップＳ７０３においては、プリンタ部１３０にエラーがないかが判定される。ステップＳ７０３でエラーがないと判断されると、ステップＳ７０４に進み、エラーがあると判断されると、エラー処理のためにステップＳ７１３へと進む。
【００７９】
ステップＳ７０４においては、ＦＡＸ文書Ｘのうちｎページ目の印刷が完了しているかどうかが判定される。ステップＳ７０４において、第ｎページ目の印刷が完了していないと判断されると、続いてステップＳ７０５へと進む。
【００８０】
ステップＳ７０５においては、ＦＡＸ部１２０のＦＡＸ部メモリ１２１上の第ｎページの文書データが消去される。このように本発明のＦＡＸ受信文書印刷に係る制御のフローにおいては、印刷完了ページが存在すれば速やかにＦＡＸ部メモリ１２１上の当該ページデータを消去するようになっている。
【００８１】
ステップＳ７０６においては、ＦＡＸ部１２０のＦＡＸ部メモリ１２１上に未印刷の残ページがあるかどうかが判定される。ステップＳ７０６で残ページがないと判定されると、ステップＳ７１１へと進む。ステップＳ７０６で残ページがあると判定されると、ステップＳ７０７へと進み、ステップＳ７０７で制御部１１０はＦＡＸ部１２０のＦＡＸ部メモリ１２１から未印刷のページを読み出し、続いてステップＳ７０８で、これをプリンタ部１３０に転送する。
【００８２】
ステップＳ７０８でプリンタ部１３０にデータを送信すると、ステップＳ７０９では、ｎページ目のＦＡＸバックアップデータが複合機通信管理部３００に未保存であるかどうかが判定される。ステップＳ７０９で未保存ではないと判定されると、ｎページ目のＦＡＸバックアップデータを複合機通信管理部３００に再転送することは不要なので、ステップＳ７１１へと進む。
【００８３】
ステップＳ７０９で未保存であると判定されると、ステップＳ７１０へと進み、ステップＳ７１０においてｎページ目のＦＡＸバックアップデータを複合機通信管理部３００に転送する。なお、ステップＳ７０９において判定に用いられるｎページ目に係るデータは、ステップＳ７０２で取得されるものである。
【００８４】
このように、本発明においては、複合機通信管理部３００にＦＡＸバックアップデータを送信するたびに、当該ＦＡＸバックアップデータが複合機通信管理部３００で既に保存されているＦＡＸバックアップデータであるのないのかがチェックされるようになっている。
【００８５】
ステップＳ７１１においては、プリンタ部１３０に印刷未完了のページがないかどうかが判定される。ステップＳ７１１において、印刷未完了のページがないと判定されると、ステップＳ７１２へと進み、制御部１１０はプリンタ部１３０に印刷終了指示を発し、ステップＳ７１７で、ＦＡＸ文書Ｘの印刷処理を終了する。ステップＳ７１１において、印刷未完了のページがあると判定されると、ステップＳ７０３へと進む。
【００８６】
ステップＳ７０３において、プリンタ部１３０にエラーがあると判定され、ステップＳ７１３のエラー処理へと進んだ場合について説明する。ステップＳ７１３において、御部１１０はパネル部１５０にエラー表示を行う。続いてステップＳ７１４で、プリンタ部１３０に印刷中断指示を行う。ステップＳ７１５ではプリンタ部１３０のエラーが解消されたかどうかが判定される。ユーザーによってエラーが解消されるまでは、ステップＳ７１５の判定結果はＮｏであるので、ステップＳ７１５をループする。ユーザーによってエラーが解消されると、ステップＳ７１５の判定結果がＹｅｓとなるので、ステップＳ７１６でパネル部１５０のエラーの表示を消去して、ステップＳ７０１に戻る。
【００８７】
次に、図８に示す、本発明の複合機通信管理部のＦＡＸバックアップデータ保存に係る制御のフローチャートを説明する。図８に示すフローチャートは、保存済みページ番号応答処理に係るものである。このような応答処理とは別に複合機通信管理部３００は、複合機１００から転送されるＦＡＸバックアップデータの保存処理などを行っているが、ここでは、保存済みページ番号応答処理のみについて説明する。このようなＦＡＸバックアップデータの保存処理については、後述する他の実施形態においても同様に存在するものとする。
【００８８】
ステップＳ８００で、保存済みページ番号応答処理が開始される。ステップＳ８０１で制御部１１０からのＦＡＸ文書Ｘの保存済みのＦＡＸバックアップデータのページ番号取得要求を受信すると、ステップＳ８０２で保存済みのＦＡＸバックアップデータが存在するかどうかが判定される。
【００８９】
ステップＳ８０２で保存済みのＦＡＸバックアップデータが存在すると判定されると、ステップＳ８０３へと進み、ステップＳ８０３において、最後に保存を完了したＦＡＸバックアップデータのページ番号を制御部１１０に返信する。また、ステップＳ８０２で保存済みのＦＡＸバックアップデータが存在しないと判定されると、ステップＳ８０４へと進み、ステップＳ８０４において、既に保存したＦＡＸバックアップデータは存在しないことを制御部１１０に返信する。ステップＳ８０５へと進み、保存済みページ番号応答処理を終了する。このように、本発明における複合機通信管理部３００は、複合機１００に対して、保存済みページ番号の応答処理を行うように設定されるので、複合機１００は重複したＦＡＸバックアップデータを複合機通信管理部３００に送信することがない。したがって、複合機１００でプリンタエラーが発生したときにおいても、複合機通信管理部３００で保存していないページ（バックアップデータ）だけを送信するように設定されるので、エラー発生時、適切なリカバリ処理を行うことができる。
【００９０】
次に、本発明の他の実施の形態に係る複合機及び複合機通信管理部の制御方法について説明する。先の実施形態においては、複合機１００が複合機通信管理部３００にＦＡＸバックアップデータの保存状況を要求するような構成となっていたが、本実施形態においては、複合機１００自身がＦＡＸバックアップデータの保存状況を管理するように構成される。
【００９１】
図９は、本発明の他の実施の形態に係る複合機及び複合機通信管理部の制御シーケンスを示す図である。図９におけるシーケンス図は、複合機１００のＦＡＸ部１２０がＦＡＸ文書を受信し、それをプリンタ部１３０で印刷中にｎページ目にエラーが発生したときの制御を示すものである。
【００９２】
まずステップＳ９００において、複合機１００の制御部１１０が、ＦＡＸ部１２０の受信完了の通知を受けると、ステップＳ９０１において、制御部１１０によってプリンタ部１３０に対してＦＡＸ印刷開始の指示がなされる。
【００９３】
ステップＳ９０２でＦＡＸ部１２０から制御部１１０に１ページ目の文書データが送信される。すると制御部１１０は、送信された文書データによってステップＳ９０３で、プリンタ部１３０に対して印刷指示を発する。本実施形態においては、次のステップＳ９０４の段階で１ページ目のＦＡＸバックアップデータを複合機通信管理部３００に送信する。
【００９４】
さらに本実施形態においては、ステップＳ９０５で、１ページ目のＦＡＸバックアップデータを複合機通信管理部３００に保存済みである旨を、制御部メモリ１１１などに記憶する。
【００９５】
同様にして、ステップＳ９０６でＦＡＸ部１２０から制御部１１０にｎページ目の文書データが送信される。すると制御部１１０は、送信された文書データによってステップＳ９０７で、プリンタ部１３０に対して印刷指示を発する。次のステップＳ９０８でｎページ目のＦＡＸバックアップデータを複合機通信管理部３００に送信する。そして、ステップＳ９０９で、ｎページ目のＦＡＸバックアップデータを複合機通信管理部３００に保存済みであることを、制御部メモリ１１１などに記憶する。
【００９６】
ステップＳ９１０で、プリンタ部１３０から制御部１１０に、（ｎ−１）ページ目の印刷が完了したことが通知されると、ステップＳ９１１で、制御部１１０はＦＡＸ部１２０に対してＦＡＸ部メモリ１２１から（ｎ−１）ページ目のデータを消去するように要求する。
【００９７】
ｎページの印刷完了前のこの段階（ステップＳ９１２）で、制御部１１０がプリンタ部１３０からプリンタエラーが発生した旨の通知を受領すると、ステップＳ９１３において制御部１１０はパネル部１５０でエラー表示を行わせるよう要求し、ユーザーにエラー解消を促す。また、ステップＳ９１４において制御部１１０はプリンタ部１３０にＦＡＸ印刷の中止を通知する。
【００９８】
ユーザーがエラーを解消すると、プリンタ部１３０はその旨、ステップＳ９１５で制御部１１０に通知する。ステップＳ９１６で制御部１１０はパネル部１５０にプリンタエラーの表示を消去するよう通知する。
【００９９】
ステップＳ９１７においては、制御部１１０はプリンタ部１３０にＦＡＸ印刷の再開を通知する。ステップＳ９１８で再び、制御部１１０はＦＡＸ部１２０からｎページ目の文書データを受信すると、ステップＳ９１９で、プリンタ部１３０に対して印刷指示を発する。
【０１００】
本実施形態においては、エラー解消後のこの段階で、制御部１１０は、ｎページ目のＦＡＸバックアップデータ番号が複合機通信管理部３００に既に保存されていることを、制御部メモリ１１１の記憶状況によって掌握できるので、複合機通信管理部３００側にｎページ目のＦＡＸバックアップデータを再転送しない。
【０１０１】
ステップＳ９２０でＦＡＸ部１２０から制御部１１０に（ｎ＋１）ページ目の文書データが送信される。すると制御部１１０は、送信された文書データによってステップＳ９２１で、プリンタ部１３０に対して印刷指示を発する。次のステップＳ９２２の段階で（ｎ＋１）ページ目のＦＡＸバックアップデータを複合機通信管理部３００に送信する。そして、ステップＳ９２３で、（ｎ＋１）ページ目のＦＡＸバックアップデータを複合機通信管理部３００に保存済みであることを、制御部メモリ１１１などに記憶する。
【０１０２】
ステップＳ９２４で、プリンタ部１３０から制御部１１０に、ｎページ目の印刷が完了したことが通知されると、ステップＳ９２５で、制御部１１０はＦＡＸ部１２０に対してＦＡＸ部メモリ１２１からｎページ目のデータを消去するように要求する。
【０１０３】
同様に、ステップＳ９２６で、プリンタ部１３０から制御部１１０に、（ｎ＋１）ページ目の印刷が完了したことが通知されると、ステップＳ９２７で、制御部１１０はＦＡＸ部１２０に対してＦＡＸ部メモリ１２１から（ｎ＋１）ページ目のデータを消去するように要求する。
【０１０４】
全文書データの印刷が完了すると、ステップＳ９２８では、制御部１１０はプリンタ部１３０に対してＦＡＸ印刷が終了した旨通知する。
【０１０５】
他の実施形態の複合機及び複合機通信管理部の制御シーケンスは、プリンタ部１３０での印刷と複合機通信管理部３００での保存を非同期で並行処理した場合のシーケンスである。また、この制御シーケンスによれば、ページの印刷が完了した時点でＦＡＸ部メモリ１２１の同ページに係るデータを消去できる。また、複合機１００で管理する情報に基づいて、複合機通信管理部３００で保存済みのＦＡＸバックアップデータを複合機通信管理部３００に再転送しないようにすることで、同一ページの２重保存を防止できる。すなわち、エラー発生時、適切なリカバリ処理を行うことができる。
【０１０６】
このような本発明他の複合機及び複合機通信管理部の制御方法、複合機及び複合機通信管理部とからなる複合機システム、複合機、複合機通信管理部によれば、ＦＡＸ受信文書の印刷処理速度を低下させる（＝ＦＡＸ受信文書データを不必要に長時間ＦＡＸ部メモリ１２１上に保持し続ける）ことなく、プリンタエラー発生後も適切なリカバリ処理（＝複合機通信管理部３００で保存していないページだけを保存すること）が可能となる。
【０１０７】
次に、以上のような制御シーケンスで複合機及び複合機通信管理部を動作させるための制御フローについて説明する。
【０１０８】
図１０は、他の実施形態の複合機における制御部のＦＡＸ受信文書印刷に係る制御のフローチャートを示す図である。なお、本実施形態においては、複合機通信管理部は、複合機から送信されるＦＡＸバックアップデータを適宜保存するように制御させればよい。以下、フローチャートについて説明する。
【０１０９】
図１０において、複合機１００のＦＡＸ部１２０がＦＡＸ文書Ｘを受信した後、ステップＳ１０００でフローチャートの処理が開始される。次に、ステップＳ１００１において、制御部１１０はプリンタ部１３０に対して印刷開始の指示を発する。
【０１１０】
続いてステップＳ１００２においては、プリンタ部１３０にエラーがないかが判定される。ステップＳ１００２でエラーがないと判断されると、ステップＳ１００３に進み、エラーがあると判断されると、エラー処理のためにステップＳ１０１３へと進む。
【０１１１】
ステップＳ１００３においては、ＦＡＸ文書Ｘのうちｎページ目の印刷が完了しているかどうかが判定される。ステップＳ１００３において、第ｎページ目の印刷が完了していないと判断されると、続いてステップＳ１００５へと進む。
【０１１２】
ステップＳ１００４においては、ＦＡＸ部１２０のＦＡＸ部メモリ１２１上の第ｎページの文書データが消去される。このように本発明のＦＡＸ受信文書印刷に係る制御のフローにおいては、印刷完了ページが存在すれば速やかにＦＡＸ部メモリ１２１上の当該ページデータを消去するようになっている。
【０１１３】
ステップＳ１００５においては、ＦＡＸ部１２０のＦＡＸ部メモリ１２１上に未印刷の残ページがあるかどうかが判定される。ステップＳ１００５で残ページがないと判定されると、ステップＳ１０１１へと進む。ステップＳ１００６で残ページがあると判定されると、ステップＳ１００６へと進み、ステップＳ１００６で制御部１１０はＦＡＸ部１２０のＦＡＸ部メモリ１２１から未印刷のページを読み出し、続いてステップＳ１００７で、これをプリンタ部１３０に転送する。
【０１１４】
ステップＳ１００８では、ｎページ目のＦＡＸバックアップデータが複合機通信管理部３００に未保存であるかどうかが判定される。ステップＳ１００８で未保存ではないと判定されると、ｎページ目のＦＡＸバックアップデータを複合機通信管理部３００に再転送することは不要なので、ステップＳ１０１１へと進む。
【０１１５】
ステップＳ１００８で未保存であると判定されると、ステップＳ１００９へと進み、ステップＳ１００９においてｎページ目のＦＡＸバックアップデータを複合機通信管理部３００に転送する。そして、ステップＳ１０１０において、ｎページ目のＦＡＸバックアップデータが複合機通信管理部３００に保存済みであることを制御部メモリ１１１などに記憶する。ステップＳ１００８において判定に用いられるｎページ目に係るデータは、このステップＳ１０１１で制御部メモリ１１１などに記憶される情報による。
【０１１６】
このように、本実施形態においては、複合機通信管理部３００にＦＡＸバックアップデータを送信するたびに、当該ＦＡＸバックアップデータが複合機通信管理部３００に既に保存されていることを複合機１００側の制御部メモリ１１１で管理するようになっている。
【０１１７】
ステップＳ１０１１においては、プリンタ部１３０に印刷未完了のページがないかどうかが判定される。ステップＳ１０１１において、印刷未完了のページがないと判定されると、ステップＳ１０１２へと進み、制御部１１０はプリンタ部１３０に印刷終了指示を発し、ステップＳ１０１７で、ＦＡＸ文書Ｘの印刷処理を終了する。ステップＳ１０１１において、印刷未完了のページがあると判定されると、ステップＳ１００２へと進む。
【０１１８】
ステップＳ１００３において、プリンタ部１３０にエラーがあると判定され、ステップＳ１０１３のエラー処理へと進んだ場合について説明する。ステップＳ１０１３において、御部１１０はパネル部１５０にエラー表示を行う。続いてステップＳ１０１４で、プリンタ部１３０に印刷中断指示を行う。ステップＳ１０１５ではプリンタ部１３０のエラーが解消されたかどうかが判定される。ユーザーによってエラーが解消されるまでは、ステップＳ１０１５の判定結果はＮｏであるので、ステップＳ１０１５をループする。ユーザーによってエラーが解消されると、ステップＳ１０１５の判定結果がＹｅｓとなるので、ステップＳ１０１６でパネル部１５０のエラーの表示を消去して、ステップＳ１００１に戻る。
【０１１９】
なお、複合機１００側で複合機通信管理部３００に保存したページ番号を記憶するメモリ領域を揮発性メモリ（格納した情報が電源ＯＦＦで消去されるメモリ）とした場合、ＦＡＸ受信文書の印刷処理中にユーザー操作で複合機１００側の電源がＯＦＦ／ＯＮされると、電源ＯＮ後の再印刷時に同じページを複合機通信管理部３００に転送してしまうことになる。そこで、本発明の他の実施の形態においては、複合機通信管理部３００に保存したページ番号を記憶するメモリ領域は不揮発性メモリとすることも考えられる。このようにすると、同メモリへの書き込み中にユーザーが電源ＯＦＦ操作を行った場合は、同メモリへの書き込み完了後に複合機１００の電源を切断するような構成とすると、重複したＦＡＸバックアップデータが複合機通信管理部３００に送信されることがない。
【０１２０】
以上、本発明によれば、ＦＡＸ受信文書データを不必要に長時間ＦＡＸ部メモリ１２１上に保持し続けることがないため、メモリの使用効率が向上し、したがって、ＦＡＸ受信文書の印刷処理速度を低下させることがない。また、本発明によれば、複合機通信管理部３００で保存していないページ（バックアップデータ）だけを送信するように設定されるので、エラー発生時、適切なリカバリ処理を行うことができる。
【図面の簡単な説明】
【０１２１】
【図１】本発明の実施の形態に係る複合機及び複合機通信管理部のシステム構成を示す図である。
【図２】従来の複合機及び複合機通信管理部の制御シーケンスを示す図である。
【図３】従来の複合機及び複合機通信管理部の制御による各部の動作タイミングを示す図である。
【図４】従来の複合機及び複合機通信管理部の制御シーケンスを示す図である。
【図５】従来の複合機及び複合機通信管理部の制御による各部の動作タイミングを示す図である。
【図６】本発明の実施の形態に係る複合機及び複合機通信管理部の制御シーケンスを示す図である。
【図７】本発明の複合機における制御部のＦＡＸ受信文書印刷に係る制御のフローチャートを示す図である。
【図８】本発明の複合機通信管理部のＦＡＸバックアップデータ保存に係る制御のフローチャートを示す図である。
【図９】本発明の他の実施の形態に係る複合機及び複合機通信管理部の制御シーケンスを示す図である。
【図１０】他の実施形態の複合機における制御部のＦＡＸ受信文書印刷に係る制御のフローチャートを示す図である。
【符号の説明】
【０１２２】
１０・・・ネットワーク、１００・・・複合機、１１０・・・制御部、１１１・・・制御部メモリ、１２０・・・ＦＡＸ部、１２１・・・ＦＡＸ部メモリ、１３０・・・プリンタ部、１４０・・・スキャナ部、１５０・・・パネル部、２００・・・パーソナルコンピュータ、２１０・・・ＦＡＸ連携ソフトウエア、３００・・・複合機通信管理部
【図１】
2008172398.tif 000003
【図２】
2008172398.tif 000004
【図３】
2008172398.tif 000005
【図４】
2008172398.tif 000006
【図５】
2008172398.tif 000007
【図６】
2008172398.tif 000008
【図７】
2008172398.tif 000009
【図８】
2008172398.tif 000010
【図９】
2008172398.tif 000011
【図１０】
2008172398.tif 000012